(57)【要約】【課題】取り外し可能な外側フィルタを有する２層フィルタシステムであって、当該取り外し可能なフィルタと手持ち式の機器との間に堅牢な接続がなされるようなフィルタシステムを提供すること。【解決手段】本発明は、第１端に流体入口部を有するハンドルを備えた手持ち式の機器であって、前記流体入口部は、外部グリルと、フィルタと、を有しており、前記外部グリルは、アタッチメント機構によって前記フィルタに保持されており、前記アタッチメント機構は、第１の対のコネクタと、第２の対のコネクタと、を有しており、前記第１の対のコネクタと前記第２の対のコネクタとは、間隔が空けられており、異なっていることを特徴とする。【選択図】図２
2018110856.tif 000002
【特許請求の範囲】
【請求項１】
第１端に流体入口部を有するハンドルを備えた手持ち式の機器であって、
前記流体入口部は、外部グリルと、フィルタと、を有しており、
前記外部グリルは、アタッチメント機構によって前記フィルタに保持されており、
前記アタッチメント機構は、第１の対のコネクタと、第２の対のコネクタと、を有しており、
前記第１の対のコネクタと前記第２の対のコネクタとは、間隔が空けられており、異なっている
ことを特徴とする手持ち式の機器。
【請求項２】
前記第１の対のコネクタ及び前記第２の対のコネクタは、異なる機能を有している
ことを特徴とする請求項１に記載の手持ち式の機器。
【請求項３】
前記第１の対のコネクタは、機械的にインターロックする第１部及び第２部を有している
ことを特徴とする請求項１または２に記載の手持ち式の機器。
【請求項４】
前記第１部及び前記第２部は、相対回転中に、機械的にインターロックする
ことを特徴とする請求項３に記載の手持ち式の機器。
【請求項５】
前記機械的なインターロックは、解除可能である
ことを特徴とする請求項３または４に記載の手持ち式の機器。
【請求項６】
前記第１部は、前記第２部に向かって付勢されている
ことを特徴とする請求項３乃至５のいずれかに記載の手持ち式の機器。
【請求項７】
前記第１部は、回動アームを有している
ことを特徴とする請求項５または６に記載の手持ち式の機器。
【請求項８】
前記第１部は、前記回動アーム上に設けられた保持ピップを有している
ことを特徴とする請求項７に記載の手持ち式の機器。
【請求項９】
前記第２部は、前記保持ピップを収容するようになっている凹部を有している
ことを特徴とする請求項８に記載の手持ち式の機器。
【請求項１０】
前記外部グリルは、前記第１部及び前記第２部のうちの一方を有し、
前記フィルタは、前記第１部及び前記第２部のうちの他方を有している
ことを特徴とする請求項３乃至９のいずれかに記載の手持ち式の機器。
【請求項１１】
前記外部グリルは、前記第２部を有している
ことを特徴とする請求項１０に記載の手持ち式の機器。
【請求項１２】
前記外部グリルは、径方向内側面と、径方向外側面と、を有しており、
突出部が、前記径方向内側面において径方向内方へと延びている
ことを特徴とする請求項１１に記載の手持ち式の機器。
【請求項１３】
前記突出部は、前記外部グリルの周面の一部周りにおいて、徐々に径方向内方へと延びている
ことを特徴とする請求項１２に記載の手持ち式の機器。
【請求項１４】
前記突出部は、凹部を有している
ことを特徴とする請求項１１または１２に記載の手持ち式の機器。
【請求項１５】
前記フィルタは、前記コネクタの前記第１部を有している
ことを特徴とする請求項１４に記載の手持ち式の機器。
【請求項１６】
前記第１部は、前記フィルタに回動可能に取り付けられた第１端と、自由に移動できて保持ピップを有する第２端と、を有する回動可能アームを有している
ことを特徴とする請求項１５に記載の手持ち式の機器。
【請求項１７】
前記外部グリルが前記フィルタに対して一方向に回転される時、前記保持ピップが前記突出部と係合し、前記アームの前記第２端が偏向して更なる相対移動を許容し、前記凹部にまで到達され、そこで前記アームが偏向していない状態に向けて回動し、前記保持ピップが前記凹部内に収容される
ことを特徴とする請求項１６に記載の手持ち式の機器。
【請求項１８】
他方向への相対移動が、前記係合を戻して、前記外部グリルが前記フィルタから取り外されることを許容する
ことを特徴とする請求項１７に記載の手持ち式の機器。
【請求項１９】
前記第２のコネクタは、第３部と第４部とを有している
ことを特徴とする請求項１乃至１８のいずれかに記載の手持ち式の機器。
【請求項２０】
前記第３部は、協調するスロットを有している
ことを特徴とする請求項１９に記載の手持ち式の機器。
【請求項２１】
前記第４部は、突出部を有している
ことを特徴とする請求項１９または２０に記載の手持ち式の機器。
【請求項２２】
前記協調するスロットは、第１方向と第２方向とに延びている
ことを特徴とする請求項２０または２１に記載の手持ち式の機器。
【請求項２３】
前記ハンドルは、長手方向軸線Ｘ−Ｘに沿って延びており、
前記第１方向は、当該長手方向軸線Ｘ−Ｘに平行である
ことを特徴とする請求項２２に記載の手持ち式の機器。
【請求項２４】
前記第２方向は、前記第１方向に対して略直交している
ことを特徴とする請求項２２または２３に記載の手持ち式の機器。
【請求項２５】
前記第１の対のコネクタ及び前記第２の対のコネクタは、長手方向に間隔が空けられている
ことを特徴とする請求項１に記載の手持ち式の機器。
【請求項２６】
前記ハンドルは、長手方向軸線Ｘ−Ｘに沿って延びており、
前記第１の対のコネクタ及び前記第２の対のコネクタは、当該長手方向軸線に沿って間隔が空けられている
ことを特徴とする請求項２５に記載の手持ち式の機器。
【請求項２７】
前記第４部は、フランジを有している
ことを特徴とする請求項１９または２０に記載の手持ち式の機器。
【請求項２８】
前記外部グリルは、径方向内側面と、径方向外側面と、を有しており、
前記フランジは、前記径方向内側面に対して略直交して径方向内方へと延びる面を有している
ことを特徴とする請求項２７に記載の手持ち式の機器。
【請求項２９】
前記協調するスロットは、前記外部グリルが前記フィルタに対して保持されている時、前記フランジの前記面と係合するようになっている更なる面を有している
ことを特徴とする請求項２８に記載の手持ち式の機器。
【請求項３０】
前記フィルタは、前記フィルタと前記フィルタグリルとの間に延びる少なくとも１つの畝部を有している
ことを特徴とする請求項１乃至２９のいずれかに記載の手持ち式の機器。
【請求項３１】
前記少なくとも１つの畝部は、前記アタッチメント機構に対して遠くに位置されている
ことを特徴とする請求項３０に記載の手持ち式の機器。
【請求項３２】
前記少なくとも１つの畝部は、前記ハンドルの外側壁に隣接して位置されている
ことを特徴とする請求項３０または３１に記載の手持ち式の機器。
【請求項３３】
当該機器は、ヘアケア機器である
ことを特徴とする請求項１乃至３２のいずれかに記載の手持ち式の機器。
【請求項３４】
当該ヘアケア機器は、ホットスタイリング機器である
ことを特徴とする請求項３３に記載の手持ち式の機器。
【請求項３５】
当該ヘアケア機器は、ヘアドライヤーである
ことを特徴とする請求項３３に記載の手持ち式の機器。
【発明の詳細な説明】
【技術分野】
【０００１】
本発明は、手持ち式の機器のため、特にはヘアケア機器のため、のフィルタ構造に関している。
【背景技術】
【０００２】
従来のホットスタイリング機器においては、空気が、ファン装置によって入口部に引き込まれ、出口部によってヘアに向かって方向付けられる。しばしば、１つの機器に、様々なアタッチメントが設けられる。各アタッチメントは、異なる出口部を有しており、その結果、異なる機能を有している。例えば、ドライング（髪を乾燥する）、カーリング（髪を巻き毛にする）、ボリューマイジング（髪にボリューム感を与える）、等の機能である。所望されるスタイルに依存して、空気は、加熱されたり、加熱されなかったりする。アタッチメントは、ヘアが巻き付けられてスタイリングのために保持されるブリスル（ブラシ毛）を有し得る。従来から、ダストや抜けた髪を取り除くべく、機器に入ってきた流体をフィルタリングするためのフィルタが設けられている。
【発明の概要】
【発明が解決しようとする課題】
【０００３】
本発明は、取り外し可能な外側フィルタを有する２層フィルタシステムであって、当該取り外し可能なフィルタと手持ち式の機器との間に堅牢な接続がなされるようなフィルタシステムを提供することを目的とする。
【課題を解決するための手段】
【０００４】
第１の特徴によれば、本発明は、第１端に流体入口部を有するハンドルを備えた手持ち式の機器であって、前記流体入口部は、外部グリルと、フィルタと、を有しており、前記外部グリルは、アタッチメント機構によって前記フィルタに保持されており、前記アタッチメント機構は、第１の対のコネクタと、第２の対のコネクタと、を有しており、前記第１の対のコネクタと前記第２の対のコネクタとは、間隔が空けられており、異なっていることを特徴とする手持ち式の機器を提供する。
【０００５】
異なっている、というのは、コネクタ同士が、非類似であるか、異質であるか、区別可能であるか、または、非同一であることを意味し、コネクタの属性に言及するものである。それらは、物理的に異なり得るし、及び／または、手持ち式の機器に対する外部グリルの異なる動作によって起動され得る。
【０００６】
間隔を空けて複数のコネクタを配置することは、２部品間のより堅牢な接続を提供する。フィルタグリルとハンドルとの間で整合がずれる傾向も小さくなる。フィルタグリルを保持する機能は、フィルタグリルとハンドルの整合機能から分離され得る。間隔を空けて配置する、というのは、フィルタグリル及びハンドルの周りにおいて、径方向であってもよいし、周方向であってもよいし、及び／または、機器の長手方向軸に沿って平行な長手方向であってもよい。
【０００７】
好ましくは、前記第１の対のコネクタ及び前記第２の対のコネクタは、異なる機能を有している。
【０００８】
好適な実施形態では、前記第１の対のコネクタは、機械的にインターロックする第１部及び第２部を有している。好適には、前記第１部及び前記第２部は、相対回転中に、機械的にインターロックする。好適には、前記機械的なインターロックは、解除可能である。
【０００９】
好適な実施形態では、前記第１部は、前記第２部に向かって付勢されている。
【００１０】
好適には、前記第１部は、回動アームを有している。
【００１１】
好適な実施形態では、前記第１部は、前記回動アーム上に設けられた保持ピップを有している。
【００１２】
好適には、前記第２部は、前記保持ピップを収容するようになっている凹部を有している。
【００１３】
好適な実施形態では、前記外部グリルは、前記第１部及び前記第２部のうちの一方を有し、前記フィルタは、前記第１部及び前記第２部のうちの他方を有している。
【００１４】
好適には、前記外部グリルは、前記第２部を有している。
【００１５】
好適には、前記外部グリルは、径方向内側面と、径方向外側面と、を有しており、突出部が、前記径方向内側面において径方向内方へと延びている。
【００１６】
好適な実施形態では、前記突出部は、前記外部グリルの周面の一部周りにおいて、徐々に径方向内方へと延びている。
【００１７】
好適には、前記突出部は、凹部を有している。
【００１８】
好適には、前記フィルタは、前記コネクタの前記第１部を有している。
【００１９】
好適には、前記第１部は、前記フィルタに回動可能に取り付けられた第１端と、自由に移動できて保持ピップを有する第２端と、を有する回動可能アームを有している。フィルタは、外部グリルが取り外された時にユーザがアクセス可能な径方向外側面を有している。当該径方向外側面の一部が、外部グリルと係合して、それをフィルタに対して保持する。従って、保持ピップは、好適には、フィルタの径方向外側面上に位置される。
【００２０】
好適には、前記外部グリルが前記フィルタに対して一方向に回転される時、前記保持ピップが前記突出部と係合し、前記アームの前記第２端が偏向して更なる相対移動を許容し、前記凹部にまで到達され、そこで前記アームが偏向していない状態に向けて回動し、前記保持ピップが前記凹部内に収容される。
【００２１】
他方向への相対移動が、前記係合を戻して、前記外部グリルが前記フィルタから取り外されることを許容することが好ましい。
【００２２】
前記第２のコネクタは、第３部と第４部とを有していることが好ましい。
【００２３】
好適には、前記第３部は、協調するスロットを有している。好適には、前記協調するスロットは、第１方向と第２方向とに延びている。好適な実施形態では、前記ハンドルは、長手方向軸線Ｘ−Ｘに沿って延びており、前記第１方向は、当該長手方向軸線Ｘ−Ｘに平行である。好適には、前記第２方向は、前記第１方向に対して略直交している。
【００２４】
好適には、前記第１の対のコネクタ及び前記第２の対のコネクタは、長手方向に間隔が空けられている。好適な実施形態では、前記ハンドルは、長手方向軸線Ｘ−Ｘに沿って延びており、前記第１の対のコネクタ及び前記第２の対のコネクタは、当該長手方向軸線に沿って間隔が空けられている。
【００２５】
前記第４部は、フランジを有していることが好ましい。好適には、前記外部グリルは、径方向内側面と、径方向外側面と、を有しており、前記フランジは、前記径方向内側面に対して略直交して径方向内方へと延びる面を有している。好適な実施形態では、前記協調するスロットは、前記外部グリルが前記フィルタに対して保持されている時、前記フランジの前記面と係合するようになっている更なる面を有している。
【００２６】
好適には、前記フィルタは、前記フィルタと前記フィルタグリルとの間に延びる少なくとも１つの畝部を有している。前記少なくとも１つの畝部は、前記アタッチメント機構に対して遠くに位置されていることが好ましい。好適には、前記少なくとも１つの畝部は、前記ハンドルの外側壁に隣接して位置されている。前記少なくとも１つの畝部は、前記フィルタグリルを、前記ハンドルの外側壁に対してセンタリングする。
【００２７】
好適な実施形態では、当該機器は、ヘアケア機器であり、好適には、ホットスタイリング機器またはヘアドライヤーである。
【００２８】
本発明は、添付の図面を参照して、例示的に説明される。
【図面の簡単な説明】
【００２９】
【図１】本発明によるアタッチメント機構が利用され得る機器の一例を示している。
【図２】本発明によるフィルタの等角投影図を示している。
【図３】本発明によるフィルタの別の等角投影図を示している。
【図４】本発明によるフィルタグリルの等角投影図を示している。
【図５】本発明によるフィルタグリルの等角投影図の断面を示している。
【図６】本発明による第２の対のコネクタの断面を示している。
【図７】本発明による第１の対のコネクタの断面を示している。
【図８】本発明による別のアタッチメント機構の一部の等角投影図を示している。
【図９】本発明による別のフィルタグリルの平面図を示している。
【図１０】前記別のアタッチメント機構の断面を示している。
【図１１】図９のフィルタグリルの断面を示している。
【図１２】図９のフィルタグリルの別の断面を示している。
【図１３】前記別のアタッチメント機構の一部の側面図を示している。
【図１４】前記別のアタッチメント機構が利用され得る機器を示している。
【発明を実施するための形態】
【００３０】
図１を参照して、手持ち式の機器１０の一例が図示されている。当該機器１０は、ホットスタイリング装置であり、ハンドル２１０と、ヘアスタイリングのためのアタッチメント２１０と、を備えている。ユーザが様々なヘアスタイルを形成することを可能にし、また、機器に複数の機能を与えるために、アタッチメント２０は取り外し可能であり、別のアタッチメントで交換され得る。また、アタッチメント２０は、非使用時の当該機器のより容易な保管を許容するべく、取り外され得る。
【００３１】
ハンドル２１０は、ユーザが保持する外壁２００を有しており、これが、複数の異なるユーザ操作ボタン３８、１３８を有するＵＩ（ユーザインタフェース）２３０を提供する。複数の異なるユーザ操作ボタン３８、１３８は、ユーザが複数の異なる熱及び流量設定間での選択をすることを可能にする。外壁２００は、ファン装置及びヒータ（共に不図示）を含んでいる。使用中、ファン装置は、内部の流体流路に沿って流体入口２１２を通して流体を引き込み、ヒータを通過させる。ヒータは、選択的に、流体を加熱する。流体は、その後、アタッチメント２０の流体出口２２によって放出される。電力が、電源ケーブル５０を介して機器１０に供給される。電源ケーブル５０は、当該機器から先端のプラグ（不図示）まで延びている。電源ケーブル５０は、流体入口２１２において機器１０に接続している。
【００３２】
当該実施形態において、流体入口２１２からハンドル２１０までが、流体がハンドル２１０の内部の流体流路に入る前の、２層の濾過部（ｆｉｌｔｒａｔｉｏｎ）を有している。外壁２００は、フィルタグリル２０４を有しており、その内部にフィルタ２２４がある。当該フィルタ２２４は、フィルタグリル２０４よりも繊細で薄く（ｆｉｎｅｒ）、フィルタグリル２０４よりも小さい開口（ｓｍａｌｌｅｒ  ａｐｅｒｔｕｒｅｓ）を有していて、ダスト及び埃を捕捉するようになっている。フィルタグリル２０４は、フィルタ２２４が定期的に洗浄されることを可能にするべく、取り外し可能である。フィルタグリル２０４とフィルタ２２４との両方が、ハンドル２１０の周において連続的に径方向に延びる開口配列を有している。また、フィルタグリル２０４は、アタッチメント２０から通い側のハンドル端部２１０ａの周りに延びる１列または複数列の開口２０６を有している。
【００３３】
フィルタグリル２０４は、この例では、機器１０から完全に取り外されて、電源ケーブル５０上に保持される。使用中に、フィルタグリル２０４を取付状態に維持するために、アタッチメント機構が設けられている
【００３４】
特に図２及び図３を参照して、フィルタ２２４は、２部分から形成されている。流れを濾過する部分は、薄い金属箔３０とフレーム４０である。フレーム４０は、薄い金属箔３０の周辺構造を提供して、製造中及び清掃中の損傷を防止し、アタッチメント機構の一部を提供する。当該アタッチメント機構によって、フィルタグリル２０４は、機器１０のハンドル２１０に対して保持される。
【００３５】
本発明によれば、フィルタグリル２０４は、２つのコネクタを介して、フレーム４０に対して保持される。２つのコネクタは、間隔が空けられており、異なっている。フレーム４０とフィルタグリル２０４の両方が、それぞれ、２つのコネクタの各々の一方／他方を有する。フレーム４０は、複数の異なる機能を有しており、その１つが、アタッチメント機構の半部を提供することである。アタッチメント機構によって、フィルタグリル２０４がハンドル２１０に取り付けられる。フレーム４０上のアタッチメント機構は、２つの部分を有している。それは、スロット２６と付勢された保持ピップ２８である。
【００３６】
スロット２６は、概ねＬ字状であり、フィルタグリル２０４は、スロット２６の第１部分２６ａに沿った第１方向に押されて、その後、当該第１方向に直交するスロット２６の第２部分２６ｂに沿った第２方向に向けられる。第１方向は、ハンドル２１０の長手方向軸線Ｘ−Ｘに沿っている。
【００３７】
付勢された保持ピップ２８は、アーム１２８上に形成されている。アーム１２８は、その一端１２８ａにおいてフレーム４０に取り付けられ、他端においては自由である。取り付けられた方の端部は、ヒンジのように作用して、自由端が円弧状に移動することを許容する。これは、付勢された保持ピップ２８の偏向（片寄り）を可能にする。
【００３８】
特に図４及び図５を参照して、フィルタグリル２０４は、協調するアタッチメント機構を有している。当該アタッチメント機構も、２つの部分を有している。フィルタグリル２０４の内側面６０上において、突出部６２が設けられており、それは、当該内側面６０の径方向内側に向かって延びている。当該突出部６２は、スロット２６内に嵌合するようになっている。また、隆起ストッパ６４が設けられていて、それは、内側面６０の径方向内側に向かって延びる更なる突出部６６であり、保持ピップ２８を受容するようになっている凹部６８を有している。これにより、フィルタグリル２０４がフィルタ２２４と係合する時、突出部６２がスロットの第１部分２６ａと係合してそれに沿って移動し、その後、フィルタグリル２０４がフレーム４０に対して回転される時、突出部６２がスロットの第２部分２６ｂに沿って移動して、付勢された保持ピップ２８が更なる突出部６６と係合する。更なる突出部６６は、最初、付勢された保持ピップ２８を偏向させるが、更なる回転によって、付勢された保持ピップ２８は凹部６８と係合する。
【００３９】
大変に安定した接続のため、ある実施形態では、フレーム４０に、直径方向に互いに反対側に配置された２つのスロット２６と、当該２つのスロット２６の各々から径方向に間隔を空けた２つのアーム１２８と、が設けられている。フィルタグリル２０４にも、２つの突出部６２と２つの更なる突出部６６とが、スロット２６とアーム１２８に合致するような間隔を伴って、設けられている。当該実施形態では、アタッチメント機構の各部が、隣接する各部から９０°離れているが、これは必須の要件ではない。
【００４０】
また、当該実施形態では、ハンドル２１０の断面が楕円形であり、各部分は、機器のハンドル２１０の長軸上ないし短軸上に位置されている。もっとも、これは必須の要件ではなく、本発明は、円形断面のような他の曲線形状にとっても好適である。
【００４１】
更なる突出部６６は、フィルタグリル２０４の内面６０の径方向内側に徐々に延びていて、それに沿って保持ピップ２８が摺動する傾斜面を提供している（図７）。これは、回動可能アーム１２８の第２端１２８ｂが次第に偏向する（片寄る）ことをもたらし、都合の良いことに、保持ピップ２８が収容される凹部６８のための空間を提供する。
【００４２】
当該実施形態では、フィルタグリル２０４をフィルタ２２４に対して係合及び係合解除するために、鉛直移動と回転移動との両方がある。この理由のため、２つの異なるアタッチメント機構が、フィルタ２２４及びフィルタグリル２０４上で長手方向に配置されている。これは、保持ピップ２８が凹部６８と係合する前に、スロット２６が突出部６２によって係合されることに帰結する。
【００４３】
本発明の第２の実施形態が、図８乃至図１４を参照して説明される。当該実施形態では、図１乃至図７に関連して図示されて既に説明された構成要素が、同様の参照符号を有している。
【００４４】
機器１００は、ハンドル２１０と本体部１１０とを有するヘアドライヤーである。ハンドル２１０は、ユーザが保持する外壁２００を有しており、これが、ユーザ操作ボタンを有するＵＩ（ユーザインタフェース）１３０を提供する。ユーザ操作ボタンは、ユーザが複数の異なる熱及び流量設定間での選択をすることを可能にする。外壁２００は、ファン装置及びヒータ（共に不図示）を含んでいる。使用中、ファン装置は、内部の流体流路に沿って流体入口２１２を通して流体を引き込み、ヒータを通過させる。ヒータは、選択的に、流体を加熱する。流体は、その後、本体部１１０内の流体出口１２２によって放出される。電力が、電源ケーブル５０を介して機器１０に供給される。電源ケーブル５０は、当該機器から先端のプラグ（不図示）まで延びている。電源ケーブル５０は、流体入口２１２において機器１０に接続している。
【００４５】
当該実施形態では、ハンドル２１０並びにフィルタグリル２０４及びフィルタ２２４は、断面が円形である。アタッチメント機構は、間隔を空けられていて異なっている２つの部分を有している。もっとも、当該実施形態では、各部分は９０°の間隔を空けられてはいない。
【００４６】
また、当該実施形態では、アタッチメント手段の各タイプが対として設けられていて、フィルタグリル２０４とフィルタ２２４との間の良好な安定性及び機械的接続を提供している。もっとも、アタッチメント手段の各タイプが１つだけ用いられ得るし、あるいはアタッチメント手段の各タイプの異なる数も用いられ得て、それらは請求項の範囲内のものであることが意図されている。
【００４７】
フィルタ２２４上において、一対の回動可能アーム１２８が、直径方向に互いに反対側に配置されている。第１の実施形態のＬ字状のスロットの代わりに、一対のフランジ１２６が設けられていて、当該一対のフランジ１２６の各々は、直径方向に互いに反対側に配置されているが、当該一対のフランジ１２６は、一対の回動可能アーム１２８の各々から等距離に配置されてはいない。
【００４８】
一対のフランジ１２６は、フィルタ２２４からフィルタグリル２０４に向かって径方向外側に延びている。
【００４９】
図８、図１１及び図１３を参照して、フィルタグリル２０４は、当該フィルタグリル２０４の内面６０から径方向内方（奥方）へと延びる協調スロット１６０を有している。一対のフランジ１２６及びスロット１６０は、フィルタグリル２０４がフィルタ２２４及びハンドル２１０に対して回転される時に互いに対して摺動するそれぞれの係合面を有している。一対のフランジ１２６の係合面８２は、ハンドル２１０の長手方向軸線Ｘ−Ｘに対して直交している。一対のフランジ１２６の係合面８２は、薄い金属箔３０の方に向けられている。
【００５０】
フィルタグリル２０４がハンドルに取り付けられる時、協調スロット１６０の係合面７０は、ハンドル２１０の長手方向軸線Ｘ−Ｘに対して直交している。協調スロット１６０の係合面７０は、薄い金属箔３０から離れた方向を向く、ないし、フィルタグリル２０４の下流端２０４ａの方を向く。これにより、フィルタグリル２０４がハンドル２１０に対して取り付けられ回転される時、それぞれの係合面８２、７０が互いの上方に摺動して、バネアーム１２８及び更なる突出部６６から径方向に離れた位置にフィルタグリル２０４を支持する。これが、機器の端部における、より確実な取り付けをもたらす。
【００５１】
フィルタグリル２０４を支持して、外壁２００に隣接する正確な位置を維持するために、複数の間隔を空けた畝部（リッジ）３２が設けられている。当該畝部３２は、フレーム４０の一部であって、外壁２００に隣接するフレーム４０の端部４２（図８）から、薄い金属箔３０の上方において、短い距離だけ延びている。当該畝部３２は、フィルタグリル２０４をセンタリングして、フィルタグリル２０４をアタッチメント機構から遠い側で支持する。畝部３２は、ハンドル２１０の外壁２００に隣接していて、アタッチメント機構から遠い側にある。
【００５２】
アタッチメント機構の様々な特徴は、反転されて設けられてもよい。例えば、フィルタの代わりにフィルタグリル上にスロット及び／またはアームが設けられてよい。
【００５３】
アタッチメント機構の第１部は、フィルタでなく、内壁の一部として形成されてもよい。
【図１】
2018110856.tif 000003
【図２】
2018110856.tif 000004
【図３】
2018110856.tif 000005
【図４】
2018110856.tif 000006
【図５】
2018110856.tif 000007
【図６】
2018110856.tif 000008
【図７】
2018110856.tif 000009
【図８】
2018110856.tif 000010
【図９】
2018110856.tif 000011
【図１０】
2018110856.tif 000012
【図１１】
2018110856.tif 000013
【図１２】
2018110856.tif 000014
【図１３】
2018110856.tif 000015
【図１４】
2018110856.tif 000016